(57)【要約】【課題】設置しようとする傾斜面が岩盤質であるような場合でも、この傾斜面上に強固に固定して設置することができるプレハブ式階段を提供する。【解決手段】傾斜面３４上に傾斜方向に伸びるよう互いに平行に配置された複数の棒状部材３２と、水平に配置される踏み板部４と、垂直に配置される蹴上げ板部６とが一体形成されて断面が略直角に曲がり、前記傾斜した複数の棒状部材３２上に階段状に並べて配置されたステップ部材８とを備えたプレハブ式階段３０であって、前記複数の棒状部材３２を前記傾斜面３４上にアンカーボルト３６で固定するようにした。【効果】設置しようとする傾斜面が岩盤質であるような場合でも、この傾斜面上にプレハブ式階段を強固に固定して設置することができる。【選択図】図１
0003120053.tif 000002
【実用新案登録請求の範囲】
【請求項１】
傾斜面上に傾斜方向に伸びるよう互いに平行に配置された複数の棒状部材と、
水平に配置される踏み板部と、垂直に配置される蹴上げ板部とが一体形成されて断面が略直角に曲がり、前記傾斜した複数の棒状部材上に階段状に並べて配置されたステップ部材と
を備えたプレハブ式階段であって、
前記複数の棒状部材を前記傾斜面上にアンカーボルトで固定したことを特徴とするプレハブ式階段。
【請求項２】
前記棒状部材の前記傾斜面に対向する面に当接してこの棒状部材を支持する支持部材を、前記アンカーボルトに設けたことを特徴とする請求項１に記載のプレハブ式階段。
【請求項３】
前記アンカーボルトは、前記傾斜面の土中に、表面に開口するよう形成した孔部内に挿し込まれ、この孔部内に充填して固化したコンクリート材又は合成樹脂材を介して孔部内に固定されたことを特徴とする請求項１又は２に記載のプレハブ式階段。
【考案の詳細な説明】
【技術分野】
【０００１】
本考案は、プレハブ式階段に関するものである。
【背景技術】
【０００２】
図６から図９は、従来のプレハブ式階段１（例えば、特許文献１参照）を説明するために参照する図である。このプレハブ式階段１は、例えば山間部における登山道や、工事現場等の傾斜面に簡単に取付けることができる階段として使用される。
【０００３】
プレハブ式階段１は、例えば図６に示すように、凹凸がある傾斜面２上に配置された枠体３の上に、踏み板４と蹴上げ板６とが一体形成された合成樹脂製の複数のステップ部材８が階段状に配置されて、各ステップ部材８の踏み板４の傾斜面２側の側端部が、この上側の隣合うステップ部材８の蹴上げ板６の下側の側端部と連結されるように組立てられている。
【０００４】
枠体３は、図７に示すように、互いに平行に配置される２本の棒状部材１０と、この２本の棒状部材１０の互いの両端部を連結して固定する２本の連結部材１２により構成されている。枠体３は、図６に示すように、その棒状部材１０が傾斜面２上にその傾斜方向に伸びるように載置されている。
【０００５】
ステップ部材８には、図８に示すように、その踏み板４の傾斜面２側の側端部に、上方に高さを有する取付け板部１４が一体的に形成されており、ステップ部材８の上側に配置された別のステップ部材８の蹴上げ板６の下側の側端部が、上記ステップ部材８の踏み板４の踏み面４ａ（上面）に突き当てられると共に、この踏み板４の取付け板部１４の、傾斜面２と反対側の面に当接されている。このとき、釘部材１６が、蹴上げ板６と取付け板部１４を貫通するように打込まれて、ステップ部材８同士が互いに固定されるようになっていた。
【０００６】
また、各ステップ部材８の踏み板４には、この上側に別のステップ部材８が配置される前に、その踏み板４における取付け板部１４の近傍に、釘部材１８が踏み面４ａ側から傾斜面２に向かって打込まれている。
【０００７】
この釘部材１８が、踏み板４の下側の枠体３の棒状部材１０に突き刺さることにより、ステップ部材８の踏み板４は、枠体３に固定されるようになっていた。そして、釘部材１８の頭部は、踏み板４の上側に配置される別のステップ部材８の蹴上げ板６の下側に隠れて、外部からは見えないようになっていた。
【０００８】
また、図６及び図９に示すように、枠体３の両側部には、この枠体３の棒状部材１０の長さ方向に間隔を置いて、複数のアンカー杭２０が傾斜面２に打込まれている。各アンカー杭２０は、その頭部側の長さ部分が傾斜面２上に突出しており、このアンカー杭２０の頭部には、釘２２が水平方向に枠体３の棒状部材１０側に向けて打ち付けられていることにより、各アンカー杭２０の頭部と枠体３の棒状部材１０とは互いに固定されている。これにより、プレハブ式階段１は、傾斜面２に凹凸がある場合でも、この傾斜面２上に強固に固定することができるようになっていた。
【特許文献１】実用新案登録第３０６６４８３号公報
【考案の開示】
【考案が解決しようとする課題】
【０００９】
しかしながら、前記特許文献１に係るプレハブ式階段１では、傾斜面２の土中にアンカー杭２０を打込むことにより、傾斜面２に強固に固定することができるようになっていたが、このプレハブ式階段１を設置しようとする傾斜面２が岩盤質である場合には、この傾斜面２が硬くてアンカー杭２０を打込むことができないため、ステップ部材８を傾斜面２上に固定することができないという問題があった。
【００１０】
そこで本考案は、上記問題点に鑑みて、設置しようとする傾斜面が岩盤質であるような場合でも、この傾斜面上に強固に固定して設置することができるプレハブ式階段を提供することを課題とするものである。
【課題を解決するための手段】
【００１１】
上記課題を解決するために本考案は、
傾斜面上に傾斜方向に伸びるよう互いに平行に配置された複数の棒状部材と、
水平に配置される踏み板部と、垂直に配置される蹴上げ板部とが一体形成されて断面が略直角に曲がり、前記傾斜した複数の棒状部材上に階段状に並べて配置されたステップ部材と
を備えたプレハブ式階段であって、
前記複数の棒状部材を前記傾斜面上にアンカーボルトで固定したことを特徴とするものである。
【００１２】
また、本考案によるプレハブ式階段は、前記棒状部材の前記傾斜面に対向する面に当接してこの棒状部材を支持する支持部材を、前記アンカーボルトに設けたことを特徴とするものである。
【００１３】
また、本考案によるプレハブ式階段における前記アンカーボルトは、前記傾斜面の土中に、表面に開口するよう形成した孔部内に挿し込まれ、この孔部内に充填して固化したコンクリート材又は合成樹脂材を介して孔部内に固定されたことを特徴とするものである。
【考案の効果】
【００１４】
このような本考案のプレハブ式階段によれば、設置しようとする傾斜面が岩盤質であるような場合でも、この傾斜面上にプレハブ式階段を強固に固定して設置することができる。
【考案を実施するための最良の形態】
【００１５】
以下、本考案に係るプレハブ式階段の実施の形態について、図面に基づいて具体的に説明する。
【００１６】
図１から図３は、本考案の第１の実施の形態に係るプレハブ式階段３０について説明するために参照する図である。これらの図に示すプレハブ式階段３０は、従来のプレハブ式階段１と同様の部分には同じ符号を付して説明し、従来と同様の構成についての重複する説明は省略するものとする。
【００１７】
本実施の形態に係るプレハブ式階段３０では、前記従来のプレハブ式階段１における枠体３（図７参照）の代わりに、図１及び図２に示すように、長さ方向に直角の断面形状が略矩形である２本の棒状部材３２を備えている。この２本の棒状部材３２は、凹凸がある岩盤質の傾斜面３４上に、傾斜方向に伸びるように互いに平行に配置されている。ステップ部材８は、その踏み板４の踏み面４ａ側から打込まれた釘部材１８の先端部分が、棒状部材３２に突き刺さることにより、この棒状部材３２上に固定されている。
【００１８】
また、各棒状部材３２は、複数本のアンカーボルト３６により、傾斜面３４上に固定されている。棒状部材３２には、図３に示すように、その長さ方向と直角の方向に貫通する貫通孔３２ａが形成されていて、アンカーボルト３６の上端部３６ａが挿通している。また、棒状部材３２の傾斜面３４に対向する面には、アンカーボルト３６の上端部３６ａに設けられた平板形状の支持部材３８が当接している。
【００１９】
支持部材３８は、図示しないがその平面形状が略矩形であって、その中央の位置に形成された挿通孔３８ａにアンカーボルト３６の上端部３６ａが挿通している。アンカーボルト３６は、その長さ全体にわたって外周面に雄ネジが形成されており、上記棒状部材３２の貫通孔３２ａ、及び支持部材３８の挿通孔３８ａに挿通される上端部３６ａには、この棒状部材３２と支持部材３８とを間に挟む位置に２つのナット４０が締付けられている。これにより、棒状部材３２とアンカーボルト３６は互いに固定されるようになっている。
【００２０】
また、傾斜面３４の岩盤中には、予め孔部４２が削岩機によりあけられて表面に開口している。アンカーボルト３６は、その下端部３６ｂ側の長さ部分が孔部４２内に挿し込まれた状態で、孔部４２内に充填されて固化したコンクリート材４４により孔部４２内に固定されている。
【００２１】
このような本実施の形態に係るプレハブ式階段３０によれば、それを設置しようとする傾斜面３４が岩盤質であって凹凸があるような場合でも、この傾斜面３４上に強固に固定して設置することができる。
【００２２】
また、棒状部材３２の傾斜面３４に対向する面には支持部材３８が当接して、プレハブ式階段３０やその上を通る人の荷重を受けるようになっているので、この支持部材３８の下側のナット４０が棒状部材３２に直接接触して荷重を受ける場合よりも、棒状部材３２側から伝わる荷重を受ける面積が大きくなる。このため、棒状部材３２の局部的な摩耗を低減し、摩耗によるがたつきが生じるのを防止することができるので、プレハブ式階段３０の耐久性を向上させることができる。
【００２３】
次に、図４及び図５は、本考案の第２の実施の形態に係るプレハブ式階段５０について説明するために参照する図である。前記第１の実施の形態と同様の部分には同じ符号を用いて説明し、同様の構成についての重複する説明は省略するものとする。
【００２４】
本実施の形態に係るプレハブ式階段５０は、前記第１の実施の形態に係るプレハブ式階段３０の支持部材３８の代わりに、図４及び図５に示すような支持部材５２を備えている。この支持部材５２は、図５に示すように、平板形状の底板５２ａと、その両端部に垂直に立設された一対のガイド板５２ｃを有している。
【００２５】
これにより、棒状部材３２は、２枚のガイド板５２ｃの間に配置されて底板５２ａに支持されるようになっている。上記底板５２ａには、その平面形状の略中央の位置に、アンカーボルト３６の上端部３６ａが挿通される挿通孔５２ｂが形成されている。
【００２６】
このような本考案の第２の実施の形態に係るプレハブ式階段５０によれば、前記第１の実施の形態と同様に、設置しようとする傾斜面３４が岩盤質であって凹凸があるような場合でも、この傾斜面３４上にプレハブ式階段５０を強固に固定して設置することができる。
【００２７】
また、本実施の形態に係るプレハブ式階段５０によれば、棒状部材３２を支持する支持部材５２に、底板５２ａの両端部に垂直に立設された一対のガイド板５２ｃが設けられているので、棒状部材３２を安定かつ確実に支持することができる。
【００２８】
なお、前記第１及び第２の実施の形態に係るプレハブ式階段３０，５０において、アンカーボルト３６は、その長さ全体にわたって外周面に雄ネジが形成されていたが、２つのナット４０を締付けることができるように、上端部３６ａだけに雄ネジが形成されていてもよい。
【００２９】
また、前記第１及び第２の実施の形態に係るプレハブ式階段３０，５０においては、２本の棒状部材３２を備えていたが、３本以上の棒状部材３２を備えていてもよい。
【００３０】
また、前記第１及び第２の実施の形態に係るプレハブ式階段３０，５０においては、傾斜面３４の孔部４２内にアンカーボルト３６を固定するために、孔部４２内にコンクリート材４４が充填されていたが、孔部４２の内壁とアンカーボルト３６の外周との間の隙間を狭くするか又は密着させるようにして、コンクリート材４４を充填しないようにしてもよい。
【００３１】
また、前記第１及び第２の実施の形態に係るプレハブ式階段３０，５０においては、傾斜面３４の孔部４２内にアンカーボルト３６を固定するために、孔部４２内にコンクリート材４４が充填されていたが、コンクリート材４４の代わりに、当初において流動性を有しており一定時間後に固化するような合成樹脂材を充填するようにしてもよい。
【００３２】
また、前記第１及び第２の実施の形態に係るプレハブ式階段３０，５０においては、岩盤質の傾斜面３４に設置されていたが、傾斜面３４は必ずしも岩盤質でなくともよい。
【００３３】
また、前記第１及び第２の実施の形態に係るプレハブ式階段３０，５０においては、凹凸がある傾斜面３４に設置されていたが、傾斜面３４は必ずしも凹凸があるものでなくともよい。
【図面の簡単な説明】
【００３４】
【図１】本考案の第１の実施の形態に係るプレハブ式階段３０を示す側面図である。
【図２】本考案の第１の実施の形態に係るプレハブ式階段３０を示す平面図である。
【図３】図１に示すプレハブ式階段３０の部分拡大側面図である。
【図４】本考案の第２の実施の形態に係るプレハブ式階段５０を示す側面図である。
【図５】図４におけるプレハブ式階段５０のＡ−Ａ線矢視断面図である。
【図６】従来のプレハブ式階段１を示す側面図である。
【図７】図６中の枠体３を示す平面図である。
【図８】図６に示すプレハブ式階段１の部分拡大側面図である。
【図９】従来のプレハブ式階段１を示す平面図である。
【符号の説明】
【００３５】
１  プレハブ式階段
２  傾斜面
３  枠体
４  踏み板
４ａ  踏み面
６  蹴上げ板
８  ステップ部材
１０  棒状部材
１２  連結部材
１４  取付け板部
１６，１８  釘部材
２０  アンカー杭
３０  プレハブ式階段
３２  棒状部材
３２ａ  貫通孔
３４  傾斜面
３６  アンカーボルト
３６ａ  上端部
３６ｂ  下端部
３８  支持部材
３８ａ  挿通孔
４０  ナット
４２  孔部
４４  コンクリート材
５０  プレハブ式階段
５２  支持部材
５２ａ  底板
５２ｂ  挿通孔
５２ｃ  ガイド板
【図１】
0003120053.tif 000003
【図２】
0003120053.tif 000004
【図３】
0003120053.tif 000005
【図４】
0003120053.tif 000006
【図５】
0003120053.tif 000007
【図６】
0003120053.tif 000008
【図７】
0003120053.tif 000009
【図８】
0003120053.tif 000010
【図９】
0003120053.tif 000011